(57)【特許請求の範囲】
【請求項１】
シートの状態を調整するためのシート調整装置の操作レバーに取り付けられる操作ノブであって、
該操作ノブの構成要素となり、互いに着脱可能に連結される第１部材と第２部材を備え、
該第２部材は、前記第１部材に設けられた収容凹部に収容され、
前記第２部材において前記第１部材の一部と重なる部分には、該第１部材側とは反対側に窪んだ肉抜き部が形成されており、
前記第１部材の外表面には、シート幅方向において前記第２部材側とは反対側に張り出すように設けられ、着座者が把持することが可能な把持部が形成され、
前記第２部材は、前記第１部材に収容された状態で、少なくとも一部が上下方向において前記第１部材の把持部に挟まれていることを特徴とする操作ノブ。
【請求項２】
前記肉抜き部は、前記第２部材のうち、シート幅方向において前記第１部材と重なる面に形成され、少なくとも一部が上下方向において前記第１部材の把持部に挟まれており、
前記肉抜き部の、前記把持部に挟まれた部分には、補強リブが形成されていることを特徴とする請求項１に記載の操作ノブ。
【請求項３】
シートの状態を調整するためのシート調整装置の操作レバーに取り付けられる操作ノブであって、
該操作ノブの構成要素となり、互いに着脱可能に連結される第１部材と第２部材を備え、
該第２部材は、前記第１部材に設けられた収容凹部に収容され、
前記第２部材において前記第１部材の一部と重なる部分には、該第１部材側とは反対側に窪んだ肉抜き部が形成されており、
前記第１部材及び前記第２部材は、樹脂材料からなり、
前記第１部材は、前記第２部材よりも硬度が高い樹脂材料から形成されていることを特徴とする操作ノブ。
【請求項４】
シートの状態を調整するためのシート調整装置の操作レバーに取り付けられる操作ノブであって、
該操作ノブの構成要素となり、互いに着脱可能に連結される第１部材と第２部材を備え、
該第２部材は、前記第１部材に設けられた収容凹部に収容され、
前記第２部材において前記第１部材の一部と重なる部分には、該第１部材側とは反対側に窪んだ肉抜き部が形成されており、
前記操作ノブは、前記シートの着座部となるシートクッションのシート幅方向の外側に配置され、
前記第２部材は、前記第１部材の前記シートクッション側の側面に設けられた前記収容凹部に収容され、
前記第２部材の前記シートクッション側の側面には、前記シートクッション側に張り出して該シートクッションの一部と当接可能な当接リブが形成されていることを特徴とする操作ノブ。
【請求項５】
前記第２部材は、前記第１部材にシート幅方向から収容され、少なくとも一部がシート幅方向において前記第１部材の一部に挟まれていることを特徴とする請求項１乃至４のいずれか一項に記載の操作ノブ。
【請求項６】
前記第２部材は、シート前後方向の一端側がシート幅方向において前記第１部材の一端側に挟まれており、
前記第２部材のシート前後方向の他端側には、前記第１部材の他端側に設けられた係合部に係合可能な被係合部が形成されていることを特徴とする請求項１乃至５のいずれか一項に記載の操作ノブ。
【請求項７】
前記操作ノブは、前記操作レバーの先端部に取り付けられ、
前記第１部材及び前記第２部材の各々のシート前後方向の他端側には、前記第１部材及び前記第２部材が連結された状態で互いに連通し、前記操作レバーの先端部を挿通させるための挿通孔が形成されていることを特徴とする請求項１乃至６のいずれか１項に記載の操作ノブ。
【請求項８】
前記シートは、車両用シートであって、
前記シート調整装置は、前記シートの着座部となるシートクッションに対して、前記シートの背もたれ部となるシートバックを回動可能に連結するリクライニング装置であることを特徴とする請求項１乃至７のいずれか１項に記載の操作ノブ。
【発明の詳細な説明】
【技術分野】
【０００１】
本発明は、操作ノブに係り、特に、シートの状態を調整するためのシート調整装置の操作レバーに取り付けられる操作ノブに関する。
【背景技術】
【０００２】
従来、シートの着座部となるシートクッションに対して、背もたれ部となるシートバックを回動可能に連結するリクライニング装置を備えたシートが広く知られている。
リクライニング装置は、シートバックの回動動作をロックするロック状態と、ロック解除状態との間で切り替え可能であって、シートバックを起立姿勢でロックした状態から、操作レバーが操作されることでロック状態を解除し、シートバックの起立姿勢を調整することが可能なシート調整装置である。
リクライニング装置を操作するための操作レバーの先端部には、通常、着座者が操作レバーを把持し易いように操作ノブが取り付けられている（例えば、特許文献１参照）。
【０００３】
特許文献１に記載のノブは、リクライニング装置の操作レバーの先端部に装着されるものであって、操作レバーを挿入する差し込み孔と、差し込み孔に挿入した操作レバーの側面を露出させる係合孔とを有するノブ本体と、ノブ本体の係合孔に取り付け可能なキャップ部材と、から構成されている。
ノブ本体に挿入された操作レバーが、ノブ本体とキャップ部材との間で挟まれて保持されているため、ノブが操作レバーから抜け落ちないような設計となっている。
【先行技術文献】
【特許文献】
【０００４】
【特許文献１】実開平４−７１５４９号公報
【発明の概要】
【発明が解決しようとする課題】
【０００５】
ところで、特許文献１のようなノブは、リクライニング装置の操作レバーに装着されて、着座者によって把持される部分となるため、比較的剛性を確保する必要があった。一方で、シートの構成部品との干渉を抑制する等のためにコンパクト化を図り、シートの重量化を抑制するために軽量化を図る必要もあった。
そのため、リクライニング装置のような、シートの状態を調整するためのシート調整装置の操作レバーに取り付けられ、比較的剛性を確保しながらも、コンパクト化及び軽量化を図ることが可能な操作ノブが望まれていた。
【０００６】
また、特許文献１のようなノブは、着座者が直接視認して把持するものであるため、シートの構成部品の中でも意匠性が強く求められていた。
特に、ノブは、一般に樹脂成形によって製造されるため、均一な肉厚で成形されないと意匠面にヒケやツヤムラが生じる恐れがあり、樹脂成形を配慮した形状を検討する必要があった。
そのため、意匠性を向上させると共に、意匠面にヒケやツヤムラが発生することを抑制可能な操作ノブが望まれていた。
【０００７】
本発明は、上記の課題に鑑みてなされたものであり、本発明の目的は、シートの状態を調整するためのシート調整装置の操作レバーに取り付けられ、剛性を確保しながらも、コンパクト化及び軽量化を図ることが可能な操作ノブを提供することにある。
また、本発明の他の目的は、 意匠性を向上させると共に、意匠面にヒケやツヤムラが発生することを抑制可能な操作ノブを提供することにある。
【課題を解決するための手段】
【０００８】
前記課題は、本発明の操作ノブによれば、シートの状態を調整するためのシート調整装置の操作レバーに取り付けられる操作ノブであって、該操作ノブの構成要素となり、互いに着脱可能に連結される第１部材と第２部材を備え、該第２部材は、前記第１部材に設けられた収容凹部に収容され、前記第２部材において前記第１部材の一部と重なる部分には、該第１部材側とは反対側に窪んだ肉抜き部が形成されており、前記第１部材の外表面には、シート幅方向において前記第２部材側とは反対側に張り出すように設けられ、着座者が把持することが可能な把持部が形成され、前記第２部材は、前記第１部材に収容された状態で、少なくとも一部が上下方向において前記第１部材の把持部に挟まれていること、により解決される。
【０００９】
上記のように、操作ノブは、互いに着脱可能に連結される第１部材と第２部材を備え、第２部材は、第１部材に設けられた収容凹部に収容されているため、複合構造によって剛性を確保しながらも、コンパクト化を図ることができる。
そして、第２部材において第１部材の一部と重なる部分には、第１部材側とは反対側に窪んだ肉抜き部が形成されているため、軽量化を図ることもできる。
そして、操作ノブは、互いに着脱可能に連結される第１部材と第２部材を備えているため、例えば、操作ノブが１ピースで樹脂成形されている場合と比較して、外観の自由度、設計の自由度があり、複雑な成形作業を必要とせず、意匠性を向上させることができる。そして、操作ノブに肉抜き部を適宜設けることで、均一な肉厚で樹脂成形し易くなり、意匠面にヒケやツヤムラが発生することを抑制できる。
上記構成により、着座者が把持する把持部が複合構造となるため、操作ノブのうち、特に剛性を必要とする部分において剛性が確保された形状となる。
そして、例えば、着座者が操作ノブの把持部を把持して上下方向に操作するような場合に、当該把持部は上下方向に重なった複合構造を有しているため、一層剛性が確保された形状となる。
【００１０】
このとき、前記肉抜き部は、前記第２部材のうち、シート幅方向において前記第１部材と重なる面に形成され、少なくとも一部が上下方向において前記第１部材の把持部に挟まれており、前記肉抜き部の、前記把持部に挟まれた部分には、補強リブが形成されていると良い。
上記構成により、第２部材に肉抜き部を形成することで操作ノブの軽量化を図りつつも、第２部材のうち、比較的剛性が必要とされる部分には補強リブを形成することで操作ノブの剛性を確保することができる。
【００１１】
前記課題は、本発明の操作ノブによれば、シートの状態を調整するためのシート調整装置の操作レバーに取り付けられる操作ノブであって、該操作ノブの構成要素となり、互いに着脱可能に連結される第１部材と第２部材を備え、該第２部材は、前記第１部材に設けられた収容凹部に収容され、前記第２部材において前記第１部材の一部と重なる部分には、該第１部材側とは反対側に窪んだ肉抜き部が形成されており、前記第１部材及び前記第２部材は、樹脂材料からなり、前記第１部材は、前記第２部材よりも硬度が高い樹脂材料から形成されていること、により解決される。
上記構成により、例えば、第１部材の内部に第２部材を軽圧入して収容するようなときに、互いに変形することを抑制して組み付けることができる。
特に、第１部材が比較的硬度が高い樹脂材料であるため、外部に露出する第１部材側の外観に変形が生じることを抑制できる。
【００１２】
前記課題は、本発明の操作ノブによれば、シートの状態を調整するためのシート調整装置の操作レバーに取り付けられる操作ノブであって、該操作ノブの構成要素となり、互いに着脱可能に連結される第１部材と第２部材を備え、該第２部材は、前記第１部材に設けられた収容凹部に収容され、前記第２部材において前記第１部材の一部と重なる部分には、該第１部材側とは反対側に窪んだ肉抜き部が形成されており、前記操作ノブは、前記シートの着座部となるシートクッションのシート幅方向の外側に配置され、前記第２部材は、前記第１部材の前記シートクッション側の側面に設けられた前記収容凹部に収容され、前記第２部材の前記シートクッション側の側面には、前記シートクッション側に張り出して該シートクッションの一部と当接可能な当接リブが形成されていること、により解決される。
上記構成により、着座者が操作ノブを操作するときに、操作ノブの当接リブがシートクッションの一部と当接して摺動する構造となるため、操作ノブの操作性が安定する。
そして、操作ノブの特定部分を予めシートクッションと当接させておくことで、操作ノブ全体の変形を抑制できる。
【００１３】
このとき、前記第２部材は、前記第１部材にシート幅方向から収容され、少なくとも一部がシート幅方向において前記第１部材の一部に挟まれていると良い。
また、前記第２部材は、シート前後方向の一端側がシート幅方向において前記第１部材の一端側に挟まれており、前記第２部材のシート前後方向の他端側には、前記第１部材の他端側に設けられた係合部に係合可能な被係合部が形成されていると良い。
上記構成により、操作ノブの使用時に、第１部材と第２部材とが分離して操作レバーから外れてしまうことを抑制できる。
【００１４】
このとき、前記操作ノブは、前記操作レバーの先端部に取り付けられ、前記第１部材及び前記第２部材の各々のシート前後方向の他端側には、前記第１部材及び前記第２部材が連結された状態で互いに連通し、前記操作レバーの先端部を挿通させるための挿通孔が形成されていると良い。
上記のように、操作ノブの各挿通孔に操作レバーを挿通させることで、第１部材と第２部材とが分離して操作レバーから外れてしまうことを一層抑制できる。
【００１５】
このとき、前記シートは、車両用シートであって、前記シート調整装置は、前記シートの着座部となるシートクッションに対して、前記シートの背もたれ部となるシートバックを回動可能に連結するリクライニング装置であると良い。
上記構成において、車両用シートは、一般のシートと比較して剛性確保、コンパクト化及び軽量化を図ることが一層求められることから、本発明に係る操作ノブの効果がより有意義なものとなる。
【発明の効果】
【００１９】
本発明によれば、操作ノブは、複合構造によって剛性を確保しながらも、コンパクト化、軽量化を図ることができる。
そして、操作ノブは、外観の自由度、設計の自由度があり、複雑な成形作業を必要とせず、意匠性を向上させることができる。そして、操作ノブに肉抜き部を適宜設けることで、均一な肉厚で樹脂成形し易くなり、意匠面にヒケやツヤムラが発生することを抑制できる。
本発明によれば、操作ノブの使用時に、第１部材と第２部材とが分離して操作レバーから外れてしまうことを抑制することができる。
本発明によれば、第１部材の収容凹部に第２部材を収容させ易くなる。
【００２０】
本発明によれば、操作レバーに対する操作ノブの取り付け剛性が向上する。そして、外部に露出する第１部材側の外観に変形が生じることを抑制できる。
本発明によれば、把持部が複合構造となるため、操作ノブのうち、特に剛性を必要とする部分において剛性が確保された形状となる。
【００２１】
本発明によれば、操作ノブの軽量化を図りつつも、比較的剛性が必要とされる部分には補強リブを形成することで操作ノブの剛性を確保できる。
本発明によれば、互いに変形することを抑制して第１部材の内部に第２部材を組み付けることができる。特に、外部に露出する第１部材側の外観に変形が生じることを抑制できる。
【００２２】
本発明によれば、操作ノブの操作性が安定する。そして、操作ノブの特定部分を予めシートクッションと当接させることで、操作ノブ全体の変形を抑制できる。
本発明によれば、車両用シートに用いられるため、一般のシートと比較して本発明に係る操作ノブの効果がより有意義なものとなる。
【図面の簡単な説明】
【００２３】
【図１】本実施形態に係る操作ノブを備えた車両用シートの外観側面図である。
【図２】図１の要部拡大図であり、操作ノブの動作を説明する図である。
【図３】操作ノブの分解斜視図である。
【図４】別の角度から見た操作ノブの分解斜視図である。
【図５】ノブ外装材にノブ内装材を組み付ける工程を説明する図である。
【図６】操作ノブを操作レバーに組み付ける工程を説明する図である。
【図７】操作ノブを操作レバーに組み付けた状態を説明する縦断面図である。
【図８】第２実施形態の操作ノブを操作レバーに組み付けた状態を説明する図である。
【発明を実施するための形態】
【００２４】
以下、本発明の実施形態に係る操作ノブについて、図１〜図８を参照しながら説明する。
本実施形態は、車両用シートのリクライニング装置の操作レバーに取り付けられる操作ノブであって、互いに着脱可能に連結されるノブ外装材とノブ内装材とからなり、ノブ内装材は、ノブ外装材の内側面に形成された収容凹部に収容され、ノブ内装材においてノブ外装材と重なる外側面には、ノブ外装材側とは反対側に窪んだ肉抜き部が形成されていることを特徴とする操作ノブの発明に関するものである。
ノブ外装材、ノブ内装材は、それぞれ特許請求の範囲において操作ノブの第１部材、第２部材に相当する。
なお、車両用シートのシートバックに対して着座者が着座する側が、操作ノブの前方側となる。そして車両用シートのシート幅方向の外側が、操作ノブの幅方向の外側となる。
【００２５】
本実施形態の操作ノブ１０を備えた車両用シートＳの概略構成について説明する。
車両用シートＳは、図１に示すように、着座部となるシートクッション１と、背もたれ部となるシートバック２と、シートクッション１に対してシートバック２を相対回動可能となるように連結するリクライニング装置３と、から主に構成されている。
また、車両用シートＳは、シートクッション１及びシートバック２を含むシート本体を車体フロアに対して前後方向にスライド移動させるシート前後調整装置４と、シート本体を車体フロアに対して上下方向に移動させるシート高さ調整装置５と、を備えている。
シートクッション１のシート幅方向の外側には、図２に示すように、リクライニング装置３、シート前後調整装置４及びシート高さ調整装置５をシート幅方向の外側から覆う樹脂製のクッションサイドカバー１ａが取り付けられている。
【００２６】
リクライニング装置３は、シートバック２の回動動作をロックするロック状態と、ロック解除状態との間で切り替え可能であって、シートバック２を起立姿勢でロックした状態から、操作レバー３ａが操作されることでロック状態を解除し、シートバック２の起立姿勢が調整されるシート調整装置である。
操作レバー３ａは、図２に示すように、リクライニング装置３の本体部に連結されており、操作レバー３ａの先端部が、クッションサイドカバー１ａの外表面に形成された不図示の貫通穴から突出して外部に露出している。
金属製の操作レバー３ａの先端部には、樹脂製の操作ノブ１０が取り付けられている。
【００２７】
操作ノブ１０は、図２に示すように、着座者が操作レバー３ａを操作するために把持する部分であって、図３に示すように、シート幅方向において互いに着脱可能に連結されるノブ外装材２０とノブ内装材３０と、から構成されている。
操作ノブ１０は、樹脂材料から金型成形されており、詳しく言うと、ノブ外装材２０は、ノブ内装材３０よりも硬度が高い樹脂材料から形成されている。
【００２８】
ノブ外装材２０は、図３、図４に示すように、シート前後方向に長尺な縦断面逆Ｌ字形状からなる部材であって、全体として略均一な肉厚となるように樹脂成形されている。
ノブ外装材２０は、ポリプロピレン樹脂（ＰＰ樹脂）やアクリルブチルスチレン樹脂（ＡＢＳ樹脂）のような硬い材料等から形成されると良い。特に、ＡＢＳ樹脂から形成されると良く、メッキ加工や塗装、水圧転写がし易くなる。
【００２９】
ノブ外装材２０のシート幅方向の内側面には、シート幅方向外側に向かって窪むようにＬ字形状体の収容凹部２１が形成されている。その結果、ノブ外装材２０の外側面が部分的に外側に張り出す形状となり、その張り出し部分が、着座者にとって把持可能な把持部２２となっている。
収容凹部２１には、ノブ内装材３０がシート幅方向から収容される。
【００３０】
ノブ外装材２０の上壁２０ａの内側面においてシート後端部分には、図４に示すように、上壁２０ａから連続して下方側にやや突出するように係合爪２３が形成されている。
係合爪２３は、係合部に相当し、収容凹部２１にノブ内装材３０が収容された状態で、ノブ内装材３０に設けられた係合溝３３と係合する。
また、ノブ外装材２０のシート後端部にある後壁２０ｄには、操作レバー３ａの先端部を挿通させるための挿通孔２４が設けられている。
挿通孔２４は、上下方向に長尺な略矩形状の貫通孔からなり、収容凹部２１と連続するように形成されている。
【００３１】
ノブ内装材３０は、図３、図４に示すように、シート前後方向に長尺なＬ字形状体からなる部材であって、全体として略均一な肉厚で樹脂成形されている。
ノブ内装材３０は、ノブ外装材２０の収容凹部２１にシート幅方向から外側に張り出すことなく収容される。
ノブ内装材３０のうち、シート幅方向においてノブ外装材２０の外壁２０ｅと重なる面には、ノブ外装材２０側とは反対側に窪むようにＬ字形状体の肉抜き部３１が形成されている。
肉抜き部３１の外表面には、ノブ外装材２０側に突出し、ノブ内装材の３０の上壁３０ａと、底壁３０ｂと、外壁３０ｅとを連結するように補強リブ３２が形成されている。
補強リブ３２は、矩形板状からなり、シート前後方向に所定の間隔を空けて複数配置されている。
【００３２】
ノブ内装材３０の上壁３０ａの内側面においてシート後端部分には、図４に示すように、略矩形板状に切り欠かれた係合溝３３が形成されている。
係合溝３３は、被係合部に相当し、収容凹部２１にノブ内装材３０が収容された状態で、ノブ外装材２０の係合爪２３と係合する。
【００３３】
ノブ内装材３０のシート後端部にある後壁３０ｄには、操作レバー３ａの先端部を挿通させる挿通孔３４が設けられている。
挿通孔３４は、上下方向に長尺な略矩形状の孔からなり、シート後端部からシート前端部に向かって延びるように形成されている。
また、挿通孔３４は、図７に示すように、孔の深さ方向に向かって徐々に幅狭となるように形成され、挿通孔３４の内部には、操作レバー３ａの先端部よりもやや幅狭となり、当該先端部が嵌合可能な嵌合部３４ａが形成されている。
【００３４】
ノブ内装材３０の内壁３０ｆには、図４に示すように、内壁３０ｆから連続してクッションサイドカバー１ａ側に突出し、クッションサイドカバー１ａと当接可能な当接リブ３５が形成されている。
当接リブ３５は、上下方向に長尺となるように延びており、シート前後方向に所定の間隔を空けて２つ配置されている。
詳しく言うと、図２に示すように、着座者が操作ノブ１０を操作するときに、当接リブ３５がクッションサイドカバー１ａの一部と当接して摺動する構造となる。
このように、予めノブ内装材３０側をクッションサイドカバー１ａと当接させることで、シート外部に露出するノブ外装材２０側の変形を抑制している。
【００３５】
次に、ノブ外装材２０にノブ内装材３０を組み付けて操作ノブ１０を完成させる工程について、図５及び図６に基づいて説明する。
【００３６】
まず、ノブ外装材２０に設けられた収容凹部２１にノブ内装材３０をシート幅方向から組み付ける作業を行う。
具体的には、図５（ａ）に示すように、ノブ外装材２０に対してノブ内装材３０をやや傾けた状態にして、ノブ内装材３０の前端部から収容凹部２１に嵌め合わせるように組み付ける。
このとき、ノブ内装材３０の前端部において前壁３０ｃと内壁３０ｆとの連続した角部分には、面取りされた逃げ部３６が形成されている、そのため、ノブ内装材３０の前端部と、ノブ外装材２０の内壁２０ｆとが干渉してしまうことを抑制できる。
【００３７】
そして、図５（ｂ）に示すように、嵌め合わされたノブ内装材３０の前端部を軸にして、ノブ内装材３０の後端部を収容凹部２１に嵌め合わせるように組み付ける。
このとき、ノブ外装材２０の係合爪２３と、ノブ内装材３０の係合溝３３とが係合する。
そのため、操作ノブ１０の使用時に、ノブ外装材２０とノブ内装材３０とがシート幅方向に分離してしまうことを抑制できる。
【００３８】
上記組み付け工程によって、図６（ａ）に示すように、ノブ外装材２０の内部にノブ内装材３０が収容される。
上記構成において、ノブ内装材３０の前端部は、シート幅方向においてノブ外装材２０の外壁２０ｅと内壁２０ｆとの間で挟まれている。そのため、操作ノブ１０の使用時に、ノブ外装材２０とノブ内装材３０とがシート幅方向に分離してしまうことを抑制できる。
【００３９】
また、上記構成において、ノブ内装材３０が上下方向においてノブ外装材２０の上壁２０ａと底壁２０ｂとの間で挟まれている。そのため、着座者が把持する把持部２２が複合構造となり、操作ノブ１０の剛性が確保される。
特に、操作ノブ１０は、着座者によって上下方向に操作されるため、把持部２２が上下方向に重なった複合構造を有することによって、一層剛性が確保される。
【００４０】
次に、完成した操作ノブ１０を操作レバー３ａに組み付ける工程について、図６、図７に基づいて説明する。
まず、図６（ａ）に示すように、操作ノブ１０の後端側に設けられた挿通孔２４及び挿通孔３４に操作レバー３ａの先端部を挿通する。
このとき、ノブ外装材２０の挿通孔２４、及びノブ内装材３０の挿通孔３４は、シート前後方向において互いに連通した状態で配置されている。
【００４１】
そして、図６（ｂ）に示すように、挿通孔３４の内部に操作レバー３ａの先端部を軽圧入する。このとき、図７に示すように、挿通孔３４内部に設けられた嵌合部３４ａと、操作レバー３ａの先端部とが嵌合する。
上記組み付け工程によって、操作レバー３ａに操作ノブ１０が組み付け固定される。
【００４２】
上記構成において、操作レバー３ａは、各挿通孔２４，３４の両方に挿通されている。そのため、ノブ外装材２０とノブ内装材３０とがシート幅方向に分離してしまうことを抑制できる。
【００４３】
また、上記構成において、図７に示すように、挿通孔３４の内部、及び操作レバー３ａの先端部には、それぞれ段差部３４ｂ、段差部３ｂが形成されている。
段差部３４ｂ、３ｂは、操作レバー３ａが挿通孔３４に所定位置まで軽圧入されたときに、互いに当接する構成となっている。
そのため、操作レバー３ａに対する操作ノブ１０の位置決め部分として機能する。
【００４４】
＜操作ノブの第２実施形態＞
次に、操作ノブ１０の第２実施例について、図８に基づいて説明する。
なお、以下の説明において上述した操作ノブ１０と重複する内容は説明を省略する。
第２実施例に係る操作ノブ１１０では、操作ノブ１０と比較して、ノブ内装材１３０の形状を一層スリム化することによって、操作ノブ１１０の軽量化を図っている。
【００４５】
ノブ外装材１２０の内表面には、ノブ内装材１３０側に突出し、ノブ外装材１２０の上壁１２０ａと、底壁１２０ｂと、外壁１２０ｅとを連結するように補強リブ１２５が形成されている。
補強リブ１２５は、矩形板状からなり、補強リブ１２５の表面には、シート前後方向に貫通した挿通孔１２６が形成されている。
一方で、ノブ内装材１３０のシート後端部にある挿通孔１３４は、シート後端部からシート前端部に向かって延びるように形成され、シート前端部にある前壁１３０ｃを貫通するように形成されている。
【００４６】
上記構成において、操作レバー３ａの先端部は、ノブ外装材１２０の挿通孔１２４、及びノブ内装材１３０の挿通孔１３４に挿通され、挿通孔１３４の内部に軽圧入される。
さらに、操作レバー３ａの先端は、ノブ内装材１３０の内部を貫通し、ノブ外装材１２０の補強リブ１２５に設けられた挿通孔１２６を貫通するように配置される。
そのため、操作レバー３ａの組み付けによって、ノブ外装材１２０とノブ内装材１３０とが分離してしまうことを一層抑制できる。
【００４７】
＜その他の実施形態＞
上記実施形態において、操作ノブ１０は、図１、図２に示すように、リクライニング装置３の操作レバー３ａに取り付けられているが、特に限定されることなく適用可能である。例えば、シート前後調整装置４やシート高さ調整装置５のような、シートの状態を調整するシート調整装置の操作レバーに取り付けることが可能である。
【００４８】
また、上記実施形態において、操作ノブ１０は、ノブ外装材２０とノブ内装材３０の２ピースから構成されているが、特に限定されることなく、３ピース以上の構成部品を組み付けることで完成させても良い。
【００４９】
また、上記実施形態において、ノブ外装材２０は、ノブ内装材３０よりも硬度が高い樹脂材料から形成されているが、特に限定されることなく変更可能である。
例えば、ノブ外装材２０がノブ内装材３０よりも硬度が低い樹脂材料から形成されていても良い。このように構成することで、操作ノブ１０の外表面にソフト感を持たせることができ、着座者が操作ノブ１０を把持するときにフィット感を出すことができる。
なお、互いに硬度がほぼ同じ樹脂材料であっても良いし、少なくとも一方が金属材料等で形成されていても良い。
【００５０】
また、上記実施形態において、図３に示すように、ノブ内装材３０のうち、シート幅方向においてノブ外装材２０の外壁２０ｅと重なる面には、肉抜き部３１が形成されているが、肉抜き部３１の形成位置は、特に限定されることなく変更可能である。
すなわち、ノブ内装材３０においてノブ外装材２０の一部と重なる部分であれば、当該部分に肉抜き部３１の形成位置を変更しても良いし、肉抜き部３１を複数箇所に形成することで軽量化を一層図っても良い。
【００５１】
上記実施形態では、具体例として自動車に用いられる車両用シートについて説明したが、これに限定されることなく、電車、バス等の車両用シートのほか、飛行機、船等の乗物用シートとしても利用することができる。また、リクライニング装置のようなシート調整装置を備えたシートであれば、広く適用することができる。
【００５２】
上記実施形態では、主として本発明に係る操作ノブ１０に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、操作ノブ１０の構成要素となるノブ外装材２０、ノブ内装材３０の形状、配置、及び構成について、上記の実施形態にて説明したものは、あくまで一例に過ぎず、本発明を限定するものではない。
【符号の説明】
【００５３】
Ｓ  車両用シート
１  シートクッション
１ａ  クッションサイドカバー
２  シートバック
３  リクライニング装置
３ａ  操作レバー
３ｂ  段差部
４  シート前後調整装置
５  シート高さ調整装置
１０、１１０  操作ノブ
２０、１２０  ノブ外装材
２０ａ、３０ａ、１２０ａ  上壁
２０ｂ、３０ｂ、１２０ｂ  底壁
２０ｃ、３０ｃ、１３０ｃ  前壁
２０ｄ、３０ｄ  後壁
２０ｅ、３０ｅ、１２０ｅ  外壁
２０ｆ、３０ｆ  内壁
２１  収容凹部
２２  把持部
２３  係合爪
２４、１２４  挿通孔
３０、１３０  ノブ内装材
３１  肉抜き部
３２  補強リブ
３３  係合溝
３４、１３４  挿通孔
３４ａ  嵌合部
３４ｂ  段差部
３５  当接リブ
３６  逃げ部
１２５  補強リブ
１２６  挿通孔
【図１】
0006472957.tif 000002
【図２】
0006472957.tif 000003
【図３】
0006472957.tif 000004
【図４】
0006472957.tif 000005
【図５】
0006472957.tif 000006
【図６】
0006472957.tif 000007
【図７】
0006472957.tif 000008
【図８】
0006472957.tif 000009